(57)【要約】【課題】  貯湯タンクユニット等の重量機器の設置を容易に且つ無駄なスペースが発生しないよう設置できる重量機器設置装置を提供する。【解決手段】  貯湯タンクユニット１の設置位置の正面に重量機器載置部ユニット７２を置いてそれに接続部ユニット７３を接続し、次に重量機器載置部ユニット７２に貯湯タンクユニット１を載せて正面から押すことで貯湯タンクユニット１が重量機器載置部ユニット７２から接続部ユニット７３を通過して設置位置に移動し、そこでタンク支持脚４９を固定することで貯湯タンクユニット１を設置できるので、貯湯タンクユニット１等の重量機器を狭い場所に設置したり複数の重量機器を間隔をあけずに設置する場合でも、数人の作業者で重量機器の周りを持って移動させる必要が無く、作業性が向上すると共に、重量機器の周りに人が入る空間が不要となり限られた場所に効率よく複数の重量機器を設置できる。【選択図】  図１
2006064338.tif 000002
【特許請求の範囲】
【請求項１】
重量機器の正面寄りの支持脚を載置する短スライド部と、重量機器の背面寄りの支持脚を載置する長スライド部と、前記短スライド部と長スライド部とを連結する連結部と、前記短スライド部と連結部との連結部分及び長スライド部と連結部との連結部分に設けた連結部支持脚と、長スライド部先端部分に設けた長スライド部前支持脚とからなり、前記長スライド部の先端及び短スライド部の先端に着脱部を形成した重量機器載置部ユニットと、一端に前記着脱部に差し込む差し込み部を形成し、他端に接続部ユニット支持脚を設けた接続部ユニットとからなる重量機器設置装置。
【請求項２】
前記短スライド部と長スライド部と接続部ユニットで、重量機器の支持脚が移動するスライド面に複数の直線状のビード部を設けたことを特徴とする請求項１記載の重量機器設置装置。
【請求項３】
前記連結部支持脚と、長スライド部前支持脚と、接続部ユニット支持脚とを着脱自在に設けたことを特徴とする請求項１記載の重量機器設置装置。
【請求項４】
重量機器の正面寄りの支持脚を載置する短スライド部と、重量機器の背面寄りの支持脚を載置する長スライド部と、前記短スライド部と長スライド部とを連結する連結部と、前記短スライド部と連結部との連結部分及び長スライド部と連結部との連結部分に設けた連結部支持脚と、長スライド部先端部分に設けた長スライド部前支持脚とからなり、前記長スライド部の先端及び短スライド部の先端に着脱部を形成した重量機器載置部ユニットと、一端に前記着脱部に差し込む差し込み部を形成し、他端に接続部ユニット支持脚を設けた接続部ユニットとからなる重量機器設置装置を使用して重量機器を設置する重量機器の設置方法。
【発明の詳細な説明】
【技術分野】
【０００１】
この発明は貯湯タンクユニット等の重量機器の重量機器設置装置に関するものである。
【背景技術】
【０００２】
従来よりこの種のものにおいては、特許文献１に開示されたものがあり、これを図１３に基づいて説明する。
１０１は貯湯タンクユニット本体、１０２はその内部に設けられ温水を貯湯する貯湯タンク、１０３は貯湯タンク１０２の上端に接続された出湯管、１０４は貯湯タンク１０２の下端に接続された給水管である。
【０００３】
そして、貯湯タンクユニット本体１０１の底板１０５の前面側にて出湯管１０３および給水管１０４が外部配管と接続される配管接続部１０６が設けられていると共に、前記貯湯タンクユニット本体１０１の底部には複数のタンク支持脚１０７が設けられているものである。
【０００４】
【特許文献１】特開２００４−１４４４３８号公報
【発明の開示】
【発明が解決しようとする課題】
【０００５】
しかし、この従来のものでは、貯湯タンクユニット本体１０１の設置場所が広いところであれば、貯湯タンクユニット本体１０１は重いので貯湯タンクユニット本体１０１の周りに数人の作業者が集まって、全員で貯湯タンクユニット本体１０１を持って所定の位置に移動させて設置作業を行うことが出来たが、貯湯タンクユニット本体１０１の設置場所が狭い場合や複数の貯湯タンクユニット本体１０１をなるべく間隔をあけずに設置するような場合、貯湯タンクユニット本体１０１の周りに数人の作業者が集まって移動させることが出来ないので、貯湯タンクユニット本体１０１の設置作業が行いにくく、作業性が非常に悪いものであった。
【課題を解決するための手段】
【０００６】
そこで、本発明は前記課題を解決するため、請求項１では、重量機器の正面寄りの支持脚を載置する短スライド部と、重量機器の背面寄りの支持脚を載置する長スライド部と、前記短スライド部と長スライド部とを連結する連結部と、前記短スライド部と連結部との連結部分及び長スライド部と連結部との連結部分に設けた連結部支持脚と、長スライド部先端部分に設けた長スライド部前支持脚とからなり、前記長スライド部の先端及び短スライド部の先端に着脱部を形成した重量機器載置部ユニットと、一端に前記着脱部に差し込む差し込み部を形成し、他端に接続部ユニット支持脚を設けた接続部ユニットとからなる重量機器設置装置としたものである。
【０００７】
又請求項２に係る重量機器設置装置では、特にその構成を、請求項１に於いて、前記短スライド部と長スライド部と接続部ユニットで、重量機器の支持脚が移動するスライド面に複数の直線状のビード部を設けたものである。
【０００８】
又請求項３に係る重量機器設置装置では、特にその構成を、請求項１に於いて、前記連結部支持脚と、長スライド部前支持脚と、接続部ユニット支持脚とを着脱自在に設けたものである。
【０００９】
又請求項４に係る重量機器設置装置では、重量機器の正面寄りの支持脚を載置する短スライド部と、重量機器の背面寄りの支持脚を載置する長スライド部と、前記短スライド部と長スライド部とを連結する連結部と、前記短スライド部と連結部との連結部分及び長スライド部と連結部との連結部分に設けた連結部支持脚と、長スライド部先端部分に設けた長スライド部前支持脚とからなり、前記長スライド部の先端及び短スライド部の先端に着脱部を形成した重量機器載置部ユニットと、一端に前記着脱部に差し込む差し込み部を形成し、他端に接続部ユニット支持脚を設けた接続部ユニットとからなる重量機器設置装置を使用して重量機器を設置する重量機器の設置方法としたものである。
【発明の効果】
【００１０】
この発明の請求項１によれば、まず貯湯タンクユニット等の重量機器を設置する位置の正面に重量機器載置部ユニットを置き、そして重量機器載置部ユニットと接続部ユニットとを接続し、次に重量機器載置部ユニットに貯湯タンクユニットを載せ、その載せた貯湯タンクユニットを正面から押すことで重量機器載置部ユニットから接続部ユニットを通過して設置する位置に移動し、そこで移動した貯湯タンクユニットのタンク支持脚を固定することで貯湯タンクユニットを設置できるので、貯湯タンクユニットのような重量機器を狭い設置場所に設置する場合や複数の貯湯タンクユニットを間隔をあけずに設置するような場合でも、貯湯タンクユニットの周りに数人の作業者が集まって、全員で貯湯タンクユニットを持って所定の位置に移動させて設置作業を行う必要が無く、又貯湯タンクユニットの周りに人が入れる空間が不要となり、設置作業が行いやすく、作業性が非常に良くなると共に、限られた設置場所に効率よく複数の貯湯タンクユニットを設置できるものである。
【００１１】
又本発明の請求項２に記載の重量機器設置装置によれば、請求項１に於いて、前記短スライド部と長スライド部と接続部ユニットで、重量機器の支持脚が移動するスライド面に複数の直線状のビード部を設けたもので、それにより重い貯湯タンクユニットのような重量機器であっても、ビード部の上を滑るように移動するので、貯湯タンクユニットの正面から押してスムーズに動かすことができるものである。
【００１２】
又本発明の請求項３に記載の重量機器設置装置によれば、請求項１に於いて、前記連結部支持脚と、長スライド部前支持脚と、接続部ユニット支持脚とを着脱自在に設けたもので、重量機器載置部ユニットの連結部支持脚や長スライド部前支持脚、接続部ユニットの接続部ユニット支持脚を高さの違う支持脚に交換して取り付けることができ、それにより重量機器載置部ユニットの長スライド部と短スライド部とのスライド面及び接続部ユニットのスライド面の高さや接続部ユニットの勾配の角度、又接続部ユニットを下り勾配にすることができ、それにより重量機器のその設置場所毎に最適なスライド面の高さや接続部ユニットの勾配の角度を設定することができ、より施工性を高めることができるものである。
【００１３】
又本発明の請求項４に記載の重量機器の設置方法によれば、まず貯湯タンクユニット等の重量機器を設置する位置の正面に重量機器載置部ユニットを置き、そして重量機器載置部ユニットとを接続部ユニットとを接続し、次に重量機器載置部ユニットに貯湯タンクユニットを載せ、その載せた貯湯タンクユニットを正面から押すことで重量機器載置部ユニットから接続部ユニットを通過して設置する位置に移動し、そこで移動した貯湯タンクユニットのタンク支持脚を固定することで貯湯タンクユニットを設置できるので、貯湯タンクユニットのような重量機器を狭い設置場所に設置する場合や複数の貯湯タンクユニットを間隔をあけずに設置するような場合でも、貯湯タンクユニットの周りに数人の作業者が集まって、全員で貯湯タンクユニットを持って所定の位置に移動させて設置作業を行う必要が無く、又貯湯タンクユニットの周りに人が入れる空間が不要となり、設置作業が行いやすく、作業性が非常に良くなると共に、限られた設置場所に効率よく複数の貯湯タンクユニットを設置できるものである。
【発明を実施するための最良の形態】
【００１４】
次に、この発明の一実施形態を図面に基づいて説明する。
図９は重量機器の一つである貯湯タンクユニットの概略構成図で、１は貯湯タンクユニット、２はヒートポンプユニットよりなる加熱部、３は給湯栓、４はリモートコントローラ、５は浴槽、６は電源である。
【００１５】
前記貯湯タンクユニット１は、湯水を貯湯する貯湯タンク７と、貯湯タンク７の上部に接続された出湯管８と、貯湯タンク７の下部に接続された給水管９と、出湯管８からの高温水と給水管９から分岐されたバイパス管１０からの低温水とを混合するミキシング弁１１と、ミキシング弁１１の下流に接続された給湯管１２と、給湯管１２に設けられた給湯温度センサ１３と、給湯管１１に設けられた給湯流量センサ１４と、給水管８に設けられた給水温度センサ１５と、給湯管１２から分岐され浴槽５に接続された湯張り管１６と、この湯張り管１６の開閉を行う湯張り弁１７と、湯張り管１６を流れる流量を積算する湯張り流量センサ１８と、出湯管８から分岐して接続された貯湯タンク７の過圧を逃す過圧逃し弁１９と、給水管８に設けられた給水圧を減圧する減圧弁２０と、貯湯タンク７の側面上下方向に複数設けられた貯湯温度センサ２１と、この貯湯タンクユニット１の制御を行うマイクロコンピュータを主に構成される給湯制御部２２と、貯湯タンク７と加熱部２とを接続して湯水を循環させる加熱循環回路２３とを備えて構成されている。
【００１６】
２４は貯湯タンク７内上部の高温水を一次側ポンプ２５の駆動で循環させ、二次側温水を加熱する暖房用熱交換器で、熱交換後の中温水は再び貯湯タンク７下部に戻すものであり、加熱された二次側温水は二次側ポンプ２６の駆動によって、往き管２７から床暖房等の放熱器２８で暖房した後、温度降下した二次側温水は戻り管２９から再び暖房用熱交換器２４に戻され加熱されるという循環を順次繰り返すものである。
【００１７】
前記加熱部２は、二酸化炭素冷媒を圧縮するコンプレッサー３０と、凝縮器としての冷媒−水熱交換器３１と、減圧器３２と、蒸発器としての空気熱交換器３３よりなるヒートポンプ回路３４と、空気熱交換器３３に送風する送風機３５と、加熱循環回路２３途中に設けられた能力可変の循環ポンプ３６と、加熱循環回路２３の冷媒−水熱交換器３１入口側に設けられ、冷媒−水熱交換器３１に流入する湯水の温度を検出する熱交入口温度センサ３７と、加熱循環回路２３の冷媒−水熱交換器３１出口側に設けられ、冷媒−水熱交換器３１から流出する湯水の温度を検出する熱交出口温度センサ３８と、この加熱部２の制御を行うマイクロコンピュータを主に構成される加熱制御部３９とを備えて構成されている。
【００１８】
ここで、前記電源６は時間帯別電灯であり、夜間（ここでは２３時から翌７時まで）が割安な電力料金設定となっているもので、この割安な夜間電力を用いて夜間に一日に必要な貯湯熱量を沸かし上げて使用するものであり、また、この時間帯別電灯では昼間（７時から２３時まで）にも電力は供給され、残湯量が少なくなったときに追加の沸き増しが行われるものである。なお、前記電源６は給湯制御部２２に接続され、この給湯制御部２２からリモートコントローラ４および加熱制御部３９（ヒートポンプ回路３４に必要な電力を含む）に有線にて通信信号が重畳されて電力供給されるものである。
【００１９】
そして、夜間時間帯になると前記給湯制御部２２が翌日に必要な貯湯熱量を演算し、この目標となる貯湯熱量を夜間時間帯の終了時までに沸き上げるよう加熱制御部３９に指示してヒートポンプ回路３４を作動させ、加熱循環回路２３の循環ポンプ３６を駆動開始する。そして、循環ポンプ３６の駆動により貯湯タンク７下部から取り出された湯水が加熱部２の冷媒−水熱交換器３１に流入して加熱され、加熱循環回路２３を介して貯湯タンク７の上部に戻されることにより高温の湯が貯湯される。
【００２０】
そして、貯湯タンク７の側面に設けられた貯湯温度センサ２１が所定の量の高温水が貯湯されたことを検出するか、または、熱交入口温度センサ３７が所定温度以上を検出すると、給湯制御部２２が加熱制御部３９へ加熱動作の停止を指令し、ヒートポンプ回路３４と循環ポンプ３６の作動が停止され、夜間時間帯の終了時までに貯湯動作を終了するものである。
【００２１】
なお、ここで、貯湯タンク７内に貯湯される熱量は給湯制御部２２により過去数日分の給湯負荷から適切と思われる熱量を目標貯湯熱量として算出されるもので、貯湯される湯水の温度は季節（または給水温度センサ１５で検出する給水温度）および目標貯湯熱量の大小によって６０℃〜９０℃の範囲で変動するものである。
【００２２】
前記リモートコントローラ４には給湯設定温度を設定する温度設定スイッチ４０、浴槽５への湯張りを指示する湯張りスイッチ４１、湯張り量を設定する湯張り量設定スイッチ４２、および給湯可能な残時間を表示させる残時間表示スイッチ４３とを有した操作部４４と、ドットマトリクス型の蛍光表示管よりなる表示部４５と、これら操作部４４および表示部４５を制御すると共に、前記給湯制御部２２と通信を行うマイクロコンピュータを主に構成されたリモコン制御部４６を備えており、通常運転時は前記表示部４５に操作部４４で設定された給湯設定温度や時刻情報および貯湯温度センサ２１で検知する残り貯湯量等が表示されるものである。なお、前記表示部４５はドットマトリクス型の液晶表示部としてもよい。
【００２３】
次に、給湯栓３を開くと、給水管９からの給水圧により貯湯タンク７上部の高温水が出湯管８に押し出され、給湯制御部２２により制御されるミキシング弁１１にてバイパス管１０の低温水と給湯温度センサ１３の検出する温度が前記リモートコントローラ４の操作部４４で設定された給湯設定温度になるように混合されて給湯管１２を介して給湯されるものである。
【００２４】
もしも給湯量が通常よりも多くなってしまい、昼間電力時間帯にて貯湯温度センサ２１で検出する残り貯湯量が少なくなったことを給湯制御部２２が検知し、貯湯タンク７内に貯湯された湯の湯切れが予想される場合は、その時点にて昼間電力を利用して必要な熱量の沸き増しが行われるものである。
【００２５】
次に、浴槽５に湯張りを行う際は、リモートコントローラ４の湯張りスイッチ４１が操作されると、給湯制御部２２が湯張り弁１７を開いて湯張りを開始し、湯張りを開始してからの積算流量が湯張り量に達したことを検出すると湯張り弁１７を閉じて湯張りを完了するものである。
【００２６】
なお、前記加熱循環回路２３の貯湯タンクユニット１側にはその途中に貯湯タンク７内の湯水を排水するための手動の排水栓４７が設けられ、この排水栓４７は貯湯タンクユニット１内の最下部に配置されているものである。
【００２７】
ところで、前記貯湯タンクユニット１は、図１０〜図１３に示すように、ユニット筐体４８の内部に貯湯タンク７、出湯管８、給水管９、加熱循環回路２３の行き管及び帰り管、暖房用熱交換器２４および往き管２７、戻り管２９等の器具内部の配管および前記ミキシング弁１１や給湯制御部２２や一次側、二次側ポンプ２５、２６等の機能部品が収納されて構成されている。
【００２８】
そして、貯湯タンク７はユニット筐体４８内の中心よりも後方側に配置され、この貯湯タンク７はタンク支持脚４９によって支えられている。
ユニット筐体４８は前面パネル５０、背面板５１、左右の側面板５２、５３、天板５４、および底板５５より構成され、底板５５よりも器具本体前面側の貯湯タンク７の頂部と底部の間の高さに位置に接続口取付板５６が設けられ、接続口取付板５６の下方を器具内側に後退させて段差凹み部５７として外部配管を接続する空間とし、その上部がオーバーハングして前面パネル５０および左右の側面板５２、５３の突出部分に囲まれた各機能部品および配管を収納する空間としているものである。
【００２９】
前記接続口取付板５６には、内部配管と外部配管とを各々接続する複数の継手５８が設けられて配管接続部５９を構成しているものである。
この複数の継手５８を介して器具内部の給水管９、給湯管１２、湯張り管１６、加熱循環路２３等を器具外部の配管と接続するようにしていると共に、給湯制御部２２と加熱制御部３９およびリモコン制御部４６と接続する通信配線（図示せず）を接続口取付板５６に開口した穴（図示せず）に通しているものである。
【００３０】
前記段差凹み部５７は、少なくとも一部を貯湯タンク外周に概ね沿わせた形状の斜めカット部６０を形成して外部配管を接続するスペースを大きく確保しているもので、ここでは、段差凹み部５７の側方の一角を面取り形状とし、器具側方でのスペースがだんだんと大きくして暖房配管接続部６１としており、正面に向かって暖房往き継手６２及び暖房戻り継手６３が備えられ、限られた横幅内で多数の配管を相互に余裕を持って配置することができると共に、配管接続作業を行う際の手元の空間が大きくなって作業性が大きく向上するものである。
【００３１】
次に前記貯湯タンクユニット１等の重量機器を設置する際に使用する重量機器設置装置について図１〜図８により説明する。
６４は固定用支持脚で、設置固定板６５と、該設置固定板６５の上部で断面コの字状の支持脚受け部６６と、前記置固定板６５と支持脚受け部６６とをつなぐ高さ部６７とからなり、貯湯タンクユニット１のような重量機器を設置する位置に予めアンカーボルト等の固定具により固定しておくもので、前記支持脚受け部６６には貯湯タンクユニット１のタンク支持脚４９が引っかかってずり落ちないように断面逆コの字状の係合金具６８を固定ボルト６９と固定ナット７０で固定するものである。
【００３２】
７１は重量機器設置装置で、重量機器を固定用支持脚６４に設置する際に使用するもので、重量機器例えば貯湯タンクユニット１のタンク支持脚４９を最初に載せる重量機器載置部ユニット７２と、該重量機器載置部ユニット７２に着脱自在で、重量機器載置部ユニット７２に載せた貯湯タンクユニット１を固定用支持脚６４まで案内する接続部ユニット７３とからなり、該接続部ユニット７３は一端が重量機器載置部ユニット７２に着脱自在に係合し、他端が前記固定用支持脚６４と着脱自在に係合するものである。
【００３３】
更に前記重量機器載置部ユニット７２は、貯湯タンクユニット１のタンク支持脚４９のうち、タンク正面後方両端に設けられたタンク支持脚４９を載せる長スライド部７４と、タンク正面前方中央に設けられたタンク支持脚４９を載せる短スライド部７５と、前記長スライド部７４と短スライド部７５とを連結して一体とする連結部７６とからなり、長スライド部７４の後方よりの位置で長スライド部７４と長スライド部７４との間を長スライド部７４に直行する形で連結部７６にて連結すると共に、連結部７６の略中央に短スライド部７５を取り付けたものである。
【００３４】
又、長スライド部７４と連結部７６との接続部分及び短スライド部７５と連結部７６との接続部分には、連結部支持脚７７が設けられ、又長スライド部７４の先端部分には接続部ユニット７３の一端が着脱自在に係合する着脱部７８を有する長スライド部前支持脚７９が設けられ、更に短スライド部７５と連結部７６との接続部分にも接続部ユニット７３の一端が着脱自在に係合する着脱部８０を有するものである。
【００３５】
又前記長スライド部７４と短スライド部７５は、複数の直線状のビード部８１を形成したスライド面８２の両端に折り曲げ部８３を形成した断面コの字状の形状をしているものである。
【００３６】
又前記接続部ユニット７３も複数の直線状のビード部８１を形成したスライド面８２の両端に折り曲げ部８３を形成した断面コの字状の形状をしており、該接続部ユニット７３の一端には断面コの字状の底面部分に下方に向かって差し込み部８４が立設され、接続部ユニット７３の他端には断面コの字状の底面部分に下方に向かって接続部ユニット支持脚８５が立設され、更に該接続部ユニット支持脚８５には、固定用支持脚６４の支持脚受け部６６の下に差し込まれる差し込み片８６が接続部ユニット７３の長手方向と同方向に突設して設けられているものである。
【００３７】
次にこの重量機器設置装置７１を用いた重量機器の設置方法について説明する。
まず重量機器例えば貯湯タンクユニット１を設置する位置に固定用支持脚６４をボルト等の固定具により固定し、固定した固定用支持脚６４に係合金具６８を固定ボルト６９と固定ナット７０で固定する。
【００３８】
そして固定した固定用支持脚６４の正面に、長スライド部７４と短スライド部７５の着脱部７８、８０を固定用支持脚６４に向けた状態で重量機器載置部ユニット７２を置き、そして各長スライド部７４と短スライド部７５に対応した接続部ユニット７３の接続部ユニット支持脚８５の差し込み片８６を、固定用支持脚６４の支持脚受け部６６の下に差し込むと共に、接続部ユニット７３の他端の差し込み部８４を、それぞれの長スライド部７４と短スライド部７５の着脱部７８に差し込むものである。
【００３９】
この状態で接続部ユニット７３の接続部ユニット支持脚８５側の端の高さが、固定用支持脚６４の支持脚受け部６６の高さより若干高くなるように接続部ユニット支持脚８５の高さが決められており、接続部ユニット７３は差し込み部８４側から接続部ユニット支持脚８５側に向かって緩やかな上り勾配となるものである。
【００４０】
そして次に貯湯タンクユニット１の向きを正面が手前に来るようにして、更に貯湯タンクユニット１のタンク支持脚４９が長スライド部７４と短スライド部７５の連結部支持脚７７の上方の位置にくるように貯湯タンクユニット１を重量機器載置部ユニット７２の上に置く。
【００４１】
そして貯湯タンクユニット１の正面から貯湯タンクユニット１を押していくと、貯湯タンクユニット１のタンク支持脚４９は、重量機器載置部ユニット７２から接続部ユニット７３に移動し、更に接続部ユニット７３から固定用支持脚６４の支持脚受け部６６に移動し、該支持脚受け部６６にタンク支持脚４９が載った状態で更に貯湯タンクユニット１を押すと、貯湯タンクユニット１のタンク支持脚４９が固定用支持脚６４の係合金具６８に係合してそれ以上押しても貯湯タンクユニット１は移動しない状態になる。
【００４２】
この状態で貯湯タンクユニット１のタンク支持脚４９と固定用支持脚６４とをボルト等の固定具により固定して貯湯タンクユニット１の移動及び設置が完了し、接続部ユニット７３を係合している固定用支持脚６４及び重量機器載置部ユニット７２から外し、最後に重量機器載置部ユニット７２を移動させるもので、この後電気の配線作業や水、お湯等の配管接続作業に移るものである。
【００４３】
このようにまず貯湯タンクユニット１を設置する位置に貯湯タンクユニット１のタンク支持脚４９と接続する固定用支持脚６４を設置し、その固定用支持脚６４の正面に重量機器載置部ユニット７２を置き、そして固定用支持脚６４と重量機器載置部ユニット７２とを接続部ユニット７３にて接続し、そして重量機器載置部ユニット７２に貯湯タンクユニット１を載せ、その載せた貯湯タンクユニット１を正面から押すことで重量機器載置部ユニット７２から接続部ユニット７３を通過して固定用支持脚６４の上に移動し、そこで移動した貯湯タンクユニット１のタンク支持脚４９と固定用支持脚６４とを固定することで貯湯タンクユニット１を設置できるので、貯湯タンクユニット１のような重量機器を狭い設置場所に設置する場合や複数の貯湯タンクユニット１を間隔をあけずに設置するような場合でも、貯湯タンクユニット１の周りに数人の作業者が集まって、全員で貯湯タンクユニット１を持って所定の位置に移動させて設置作業を行う必要が無く、又貯湯タンクユニット１の周りに人が入れる空間が不要となり、設置作業が行いやすく、作業性が非常に良くなると共に、限られた設置場所に効率よく複数の貯湯タンクユニット１を設置できるものである。
【００４４】
又重量機器載置部ユニット７２の長スライド部７４と短スライド部７５とのスライド面８２及び接続部ユニット７３のスライド面８２に複数の直線状のビード部８１を形成したので、重い貯湯タンクユニット１のような重量機器であっても、ビード部８１の上を滑るように移動するので、貯湯タンクユニット１の正面から押してスムーズに動かすことができるものである。
【００４５】
又重量機器載置部ユニット７２の連結部支持脚７７や長スライド部前支持脚７９、接続部ユニット７３の接続部ユニット支持脚８５を高さの違う支持脚に交換可能に取り付けられるようにすれば、重量機器載置部ユニット７２の長スライド部７４と短スライド部７５とのスライド面８２及び接続部ユニット７３のスライド面８２の高さや接続部ユニット７３の勾配の角度、又接続部ユニット７３を下り勾配にすることができ、それにより重量機器のその設置場所毎に最適なスライド面８２の高さや接続部ユニット７３の勾配の角度を設定することができ、より施工性を高めることができるものである。
【図面の簡単な説明】
【００４６】
【図１】この発明の一実施形態の施工時の概略図。
【図２】同重量機器載置部ユニットの正面図。
【図３】同重量機器載置部ユニットの平面図。
【図４】同重量機器載置部ユニットの側面図。
【図５】同接続部ユニットの平面図。
【図６】同接続部ユニットの側面図。
【図７】同接続部ユニットの正面図。
【図８】同固定用支持脚の斜視図。
【図９】この発明の一実施形態の貯湯タンクユニットの概略構成図。
【図１０】同貯湯タンクユニットの正面図。
【図１１】同貯湯タンクユニットを下から見た斜視図。
【図１２】同貯湯タンクユニットの断面図。
【図１３】従来の貯湯タンクユニットの断面図。
【符号の説明】
【００４７】
７１  重量機器設置装置
７２  重量機器載置部ユニット
７３  接続部ユニット
７４  長スライド部
７５  短スライド部
７６  連結部
連結部支持脚
７８、８０  着脱部
７９  長スライド部前支持脚
８４  差し込み部
８５  接続部ユニット支持脚
【図１】
2006064338.tif 000003
【図２】
2006064338.tif 000004
【図３】
2006064338.tif 000005
【図４】
2006064338.tif 000006
【図５】
2006064338.tif 000007
【図６】
2006064338.tif 000008
【図７】
2006064338.tif 000009
【図８】
2006064338.tif 000010
【図９】
2006064338.tif 000011
【図１０】
2006064338.tif 000012
【図１１】
2006064338.tif 000013
【図１２】
2006064338.tif 000014
【図１３】
2006064338.tif 000015